(57)【要約】  【課題】  オーディオ・ビデオ両用ＤＶＤにおいてオーディオ情報とビデオ情報との何れか一方のみしか再生できないように設定することも可能な機能を有する光ディスク再生装置を提供する。  【解決手段】  モード設定手段２２１で設定された再生モードがビデオ再生モードであった場合、当該タイトルはビデオ情報のタイトルであるか否かを、ビデオタイトル判定手段２２３が判定し、この判定結果が、当該タイトルはビデオ情報のタイトルであった場合、タイトル再生制御手段２２５は当該タイトルを再生させる。また、設定された再生モードがオーディオ再生モードであった場合、当該タイトルはオーディオ情報のタイトルであるか否かを、オーディオタイトル判定手段２２４が判定し、この判定結果が、当該タイトルはオーディオ情報のタイトルであった場合、タイトル再生制御手段２２５は当該タイトルを再生させる。【選択図】      図１
2005116114.tif 000002
【特許請求の範囲】
【請求項１】
主として映像情報および該映像情報に付随する音声情報を含むビデオ情報を記録するビ
デオ領域と、主として音声情報を含むオーディオ情報を記録するオーディオ領域とを有す
る光ディスクに対しても再生可能な光ディスク再生装置において、前記ビデオ領域に記録
されたタイトルのビデオ情報を再生するビデオ再生モードと、前記オーディオ領域に記録
されたタイトルのオーディオ情報を再生するオーディオ再生モードと、前記ビデオ領域に
記録されたタイトルのビデオ情報および前記オーディオ領域に記録されたタイトルのオー
ディオ情報を再生する通常再生モードとを有し、これらの何れかの再生モードを設定する
モード設定手段と、該モード設定手段で設定された再生モードは何であるかをディスク管
理情報に基づいて判定するモード判定手段と、該モード判定手段による判定結果がビデオ
再生モードである場合に、当該タイトルはビデオ情報のタイトルであるか否かを判定する
ビデオタイトル判定手段と、前記モード判定手段による判定結果がオーディオ再生モード
である場合に、当該タイトルはオーディオ情報のタイトルであるか否かを判定するオーデ
ィオタイトル判定手段と、前記ビデオタイトル判定手段の判定結果がビデオ情報のタイト
ルを示す場合、または前記オーディオタイトル判定手段の判定結果がオーディオ情報のタ
イトルを示す場合に、当該タイトルのビデオ情報またはオーディオ情報を再生する制御を
行うタイトル再生制御手段と、前記ビデオタイトル判定手段の判定結果がビデオ情報のタ
イトルを示さない場合、または前記オーディオタイトル判定手段の判定結果がオーディオ
情報のタイトルを示さない場合に、次のタイトルをサーチし、前記ビデオタイトル判定手
段または前記オーディオタイトル判定手段に処理を戻すタイトルサーチ手段とを有するシ
ステムコントローラを備えたことを特徴とする光ディスク再生装置。
【請求項２】
主として映像情報および該映像情報に付随する音声情報を含むビデオ情報を記録するビ
デオ領域と、主として音声情報を含むオーディオ情報を記録するオーディオ領域とを有す
る光ディスクに対しても再生可能な光ディスク再生装置において、前記ビデオ領域に記録
されたタイトルのビデオ情報を再生するビデオ再生モードと、前記オーディオ領域に記録
されたタイトルのオーディオ情報を再生するオーディオ再生モードとを設け、前記ビデオ
領域に記録されたタイトルのビデオ情報および前記オーディオ領域に記録されたタイトル
のオーディオ情報を再生する通常再生モード以外に、前記ビデオ再生モードと前記オーデ
ィオ再生モードとの何れかで再生するための制御を行うシステムコントローラを備えたこ
とを特徴とする光ディスク再生装置。
【請求項３】
前記システムコントローラは、ビデオ再生モードとオーディオ再生モードと通常再生モ
ードとの何れかの再生モードを設定するモード設定手段と、該モード設定手段で設定され
た再生モードは何であるかをディスク管理情報に基づいて判定するモード判定手段と、該
モード判定手段による判定結果がビデオ再生モードである場合に、当該タイトルはビデオ
情報のタイトルであるか否かを判定するビデオタイトル判定手段と、前記モード判定手段
による判定結果がオーディオ再生モードである場合に、当該タイトルはオーディオ情報の
タイトルであるか否かを判定するオーディオタイトル判定手段と、前記ビデオタイトル判
定手段の判定結果がビデオ情報のタイトルを示す場合、または前記オーディオタイトル判
定手段の判定結果がオーディオ情報のタイトルを示す場合に、当該タイトルのビデオ情報
またはオーディオ情報を再生する制御を行うタイトル再生制御手段と、前記ビデオタイト
ル判定手段の判定結果がビデオ情報のタイトルを示さない場合、または前記オーディオタ
イトル判定手段の判定結果がオーディオ情報のタイトルを示さない場合に、次のタイトル
をサーチし、前記ビデオタイトル判定手段または前記オーディオタイトル判定手段に処理
を戻すタイトルサーチ手段とを有することを特徴とする請求項２に記載の光ディスク再生
装置。
【発明の詳細な説明】
【技術分野】
【０００１】
本発明は、主として映像情報および該映像情報に付随する音声情報を含むビデオ情報を
記録するビデオ領域と、主として音声情報を含むオーディオ情報を記録するオーディオ領
域とを有する光ディスクに対しても再生可能な光ディスク再生装置に関する。
【背景技術】
【０００２】
映画などの映像情報を記録する記録媒体としてＤＶＤビデオ規格に準拠したビデオＤＶ
Ｄが知られている。ＤＶＤとはデジタル・バーサタイル・ディスクのことを言う。ビデオ
ＤＶＤは、その大容量性から映画などの映像情報の記録媒体として広く使用されている。
また、映画などの映像情報ではなく、音楽などのオーディオ情報のみを記録することを念
頭においたＤＶＤオーディオ規格に準拠したオーディオＤＶＤも普及している。このオー
ディオＤＶＤはＤＶＤとしての大容量性から複数のＣＤ（コンパクト・ディスク）に相当
するオーディオ情報を記録することができる。
【０００３】
また、近年、オーディオＤＶＤとビデオＤＶＤとを１枚のＤＶＤにしたオーディオ・ビ
デオ両用ＤＶＤが普及しつつある。このようなオーディオ・ビデオ両用ＤＶＤは、主とし
て映像情報および該映像情報に付随する音声情報を含むビデオ情報を記録するビデオ領域
と、主として音声情報を含むオーディオ情報を記録するオーディオ領域とを有する。
【特許文献１】特開平１１−２６５５６３号公報
【発明の開示】
【発明が解決しようとする課題】
【０００４】
ところで、オーディオ・ビデオ両用ＤＶＤも再生可能な従来の光ディスク再生装置では
、通常はオーディオ・ビデオ両用ＤＶＤに対して、ＤＶＤオーディオフォーマットで記録
されたタイトル（ＡＯＴＴ）のオーディオ情報、およびＤＶＤビデオフォーマットで記録
されたタイトル（ＡＶＴＴ）のビデオ情報を全て再生するようになっており、ユーザは、
再生したいタイトルを選択できるが、タイトル（ＡＯＴＴ）のタイトルだけを選択したり
、タイトル（ＡＶＴＴ）のタイトルだけを選択したりすることはできない。なお、ＡＯＴ
ＴとはAudio Only Titleの略であり、ＡＶＴＴとはAudio Video Titleの略である。
【０００５】
したがって、この種の従来の光ディスク再生装置では、装置の開発者はタイトルを選択
することはできるが、そのタイトルはＡＯＴＴであるかＡＶＴＴであるかは再生してから
でないと分からないので、デバッグ処理や品質チェックなどが行い難く、それらの所要時
間も多くかかり、その分、装置がコストアップする傾向にある。また、この種の従来の光
ディスク再生装置では、ユーザはタイトルを選択することはできるが、そのタイトルはＡ
ＯＴＴであるかＡＶＴＴであるかは再生してからでないと分からないので、ユーザにとっ
てはタイトルの選択範囲が狭かった。
【０００６】
なお、特許文献１に記載の従来技術では、オーディオ・ビデオ両用ＤＶＤを再生するこ
とができるが、ＤＶＤオーディオフォーマットで記録されたオーディオ情報とＤＶＤビデ
オフォーマットで記録されたビデオ情報との何れか一方のみを再生することはできないの
で、上記のような課題を解決できるものではない。
【０００７】
本発明は、上記のような課題を解決するためになされたもので、オーディオ・ビデオ両
用光ディスク（オーディオ・ビデオ両用ＤＶＤ）において、ＤＶＤオーディオフォーマッ
トで記録されたオーディオ情報とＤＶＤビデオフォーマットで記録されたビデオ情報との
何れか一方のみしか再生できないように設定することも可能な機能を有する光ディスク再
生装置を提供することを目的とする。
【課題を解決するための手段】
【０００８】
上記目的を達成するために、請求項１の発明は、主として映像情報および該映像情報に
付随する音声情報を含むビデオ情報を記録するビデオ領域と、主として音声情報を含むオ
ーディオ情報を記録するオーディオ領域とを有する光ディスクに対しても再生可能な光デ
ィスク再生装置において、前記ビデオ領域に記録されたタイトルのビデオ情報を再生する
ビデオ再生モードと、前記オーディオ領域に記録されたタイトルのオーディオ情報を再生
するオーディオ再生モードと、前記ビデオ領域に記録されたタイトルのビデオ情報および
前記オーディオ領域に記録されたタイトルのオーディオ情報を再生する通常再生モードと
を有し、これらの何れかの再生モードを設定するモード設定手段と、該モード設定手段で
設定された再生モードは何であるかをディスク管理情報に基づいて判定するモード判定手
段と、該モード判定手段による判定結果がビデオ再生モードである場合に、当該タイトル
はビデオ情報のタイトルであるか否かを判定するビデオタイトル判定手段と、前記モード
判定手段による判定結果がオーディオ再生モードである場合に、当該タイトルはオーディ
オ情報のタイトルであるか否かを判定するオーディオタイトル判定手段と、前記ビデオタ
イトル判定手段の判定結果がビデオ情報のタイトルを示す場合、または前記オーディオタ
イトル判定手段の判定結果がオーディオ情報のタイトルを示す場合に、当該タイトルのビ
デオ情報またはオーディオ情報を再生する制御を行うタイトル再生制御手段と、前記ビデ
オタイトル判定手段の判定結果がビデオ情報のタイトルを示さない場合、または前記オー
ディオタイトル判定手段の判定結果がオーディオ情報のタイトルを示さない場合に、次の
タイトルをサーチし、前記ビデオタイトル判定手段または前記オーディオタイトル判定手
段に処理を戻すタイトルサーチ手段とを有するシステムコントローラを備えたことを特徴
とする光ディスク再生装置を提供する。
【０００９】
この構成において、ユーザが再生モードを設定するため、操作部を操作すると、これに
応答して、モード設定手段は装置の再生モードを設定する。そして、その設定された再生
モードが、ビデオ再生モードであるか、オーディオ再生モードであるか、それとも通常再
生モードであるかを、モード判定手段が判定する。モード判定手段による判定結果がビデ
オ再生モードであった場合、再生しようとする当該タイトルはビデオ情報のタイトルであ
るか否かを、ビデオタイトル判定手段が判定する。この判定結果が、当該タイトルはビデ
オ情報のタイトルであった場合、タイトル再生制御手段は当該タイトルを再生させる。
【００１０】
モード判定手段による判定結果がオーディオ再生モードであった場合、再生しようとす
る当該タイトルはオーディオ情報のタイトルであるか否かを、オーディオタイトル判定手
段が判定する。この判定結果が、当該タイトルはオーディオ情報のタイトルであった場合
、タイトル再生制御手段は当該タイトルを再生させる。
【００１１】
ビデオタイトル判定手段の判定結果がビデオ情報のタイトルを示さない場合、またはオ
ーディオタイトル判定手段の判定結果がオーディオ情報のタイトルを示さない場合に、タ
イトルサーチ手段は、次のタイトルをサーチし、ビデオタイトル判定手段またはオーディ
オタイトル判定手段に処理を戻す。
【００１２】
この構成によれば、オーディオ・ビデオ両用光ディスクにおいて、オーディオ情報とビ
デオ情報との何れか一方のみしか再生できないように設定することも可能になり、これに
より、光ディスク再生装置の開発者はデバッグ処理や品質チェックなどが行い易くなり、
それらの所要時間も少なくなり、その分、装置のコストダウンも図れる。また、オーディ
オ情報のタイトルとビデオ情報のタイトルとを別々に選択することも可能になるので、タ
イトルの選択範囲が広まり、ユーザに多目的な機能を提供することができる。
【００１３】
請求項２の発明は、主として映像情報および該映像情報に付随する音声情報を含むビデ
オ情報を記録するビデオ領域と、主として音声情報を含むオーディオ情報を記録するオー
ディオ領域とを有する光ディスクに対しても再生可能な光ディスク再生装置において、前
記ビデオ領域に記録されたタイトルのビデオ情報を再生するビデオ再生モードと、前記オ
ーディオ領域に記録されたタイトルのオーディオ情報を再生するオーディオ再生モードと
を設け、前記ビデオ領域に記録されたタイトルのビデオ情報および前記オーディオ領域に
記録されたタイトルのオーディオ情報を再生する通常再生モード以外に、前記ビデオ再生
モードと前記オーディオ再生モードとの何れかで再生するための制御を行うシステムコン
トローラを備えたことを特徴とする光ディスク再生装置を提供する。
【００１４】
この構成において、設定された再生モードが、ビデオ再生モードであった場合、当該タ
イトルのビデオ情報が再生され、また、オーディオ再生モードであった場合、当該タイト
ルのオーディオ情報が再生される。
【００１５】
この構成によれば、オーディオ・ビデオ両用光ディスクにおいて、オーディオ情報とビ
デオ情報との何れか一方のみしか再生できないように設定することも可能になり、これに
より、光ディスク再生装置の開発者はデバッグ処理や品質チェックなどが行い易くなり、
それらの所要時間も少なくなり、その分、装置のコストダウンも図れる。また、オーディ
オ情報のタイトルとビデオ情報のタイトルとを別々に選択することも可能になるので、タ
イトルの選択範囲が広まり、ユーザに多目的な機能を提供することができる。
【００１６】
請求項３の発明では、請求項２の発明におけるシステムコントローラは、ビデオ再生モ
ードとオーディオ再生モードと通常再生モードとの何れかの再生モードを設定するモード
設定手段と、該モード設定手段で設定された再生モードは何であるかをディスク管理情報
に基づいて判定するモード判定手段と、該モード判定手段による判定結果がビデオ再生モ
ードである場合に、当該タイトルはビデオ情報のタイトルであるか否かを判定するビデオ
タイトル判定手段と、前記モード判定手段による判定結果がオーディオ再生モードである
場合に、当該タイトルはオーディオ情報のタイトルであるか否かを判定するオーディオタ
イトル判定手段と、前記ビデオタイトル判定手段の判定結果がビデオ情報のタイトルを示
す場合、または前記オーディオタイトル判定手段の判定結果がオーディオ情報のタイトル
を示す場合に、当該タイトルのビデオ情報またはオーディオ情報を再生する制御を行うタ
イトル再生制御手段と、前記ビデオタイトル判定手段の判定結果がビデオ情報のタイトル
を示さない場合、または前記オーディオタイトル判定手段の判定結果がオーディオ情報の
タイトルを示さない場合に、次のタイトルをサーチし、前記ビデオタイトル判定手段また
は前記オーディオタイトル判定手段に処理を戻すタイトルサーチ手段とを有するので、オ
ーディオ・ビデオ両用光ディスクにおいて、オーディオ情報とビデオ情報との何れか一方
のみしか再生できないように設定することも可能になる。
【発明の効果】
【００１７】
以上のように本発明によれば、オーディオ・ビデオ両用光ディスクにおいて、オーディ
オ情報とビデオ情報との何れか一方のみしか再生できないように設定することも可能にな
り、これにより、光ディスク再生装置の開発者はデバッグ処理や品質チェックなどが行い
易くなり、それらの所要時間も少なくなり、その分、装置のコストダウンも図れる。また
、オーディオ情報のタイトルとビデオ情報のタイトルとを別々に選択することも可能にな
るので、タイトルの選択範囲が広まり、ユーザに多目的な機能を提供することができる。
【発明を実施するための最良の形態】
【００１８】
以下、添付図面を参照しつつ、本発明の実施の形態について説明する。図１は本発明の
一実施形態に係る光ディスク再生装置の構成を示すブロック図である。この光ディスク再
生装置は、光ディスク１を回転させるスピンドルモータ５と、光ディスク１に記録された
情報を再生するためのレーザ光を出射すると共に光ディスク１からの反射光を受光する光
ピックアップ２と、この光ピックアップ２を光ディスク１の半径方向に移動させるための
スレッド３と、システムコントローラ２２の指示に応じてスピンドルモータ５およびスレ
ッド３を駆動すると共に光ピックアップ２に内蔵された対物レンズ（図示せず）を動かす
ことによりレーザ光の焦点位置を光ディスク１の記録面に対して垂直方向および水平方向
に移動させる制御を行うサーボ制御部４とを備えている。
【００１９】
また、この光ディスク再生装置は、光ディスク１の再生時に光ピックアップ２からの読
取信号であるＲＦ信号を増幅するＲＦアンプ６と、このＲＦアンプ６から出力されたＲＦ
信号をデジタルデータに変換した後に光ディスク１のデータフォーマットに応じた信号復
調処理と誤り訂正処理を行って生成したデータをＲＡＭ７に格納するデジタル信号処理部
８と、システムコントローラ２２の指示に応じてデジタル信号処理部８から出力されたデ
ータストリームの中からオーディオデータとサブピクチャデータとビデオデータとを分離
するストリーム分離部９とを備えている。
【００２０】
また、この光ディスク再生装置は、ストリーム分離部９から出力されたオーディオデー
タを入力して所定のデコード処理を行うオーディオデコーダ１１と、このオーディオデコ
ーダ１１でのデコード処理を行うためにデータを一時的に格納するＲＡＭ１０と、ストリ
ーム分離部９から出力されたサブピクチャデータを入力して所定のデコード処理を行うサ
ブピクチャデコーダ１３と、このサブピクチャデコーダ１３でのデコード処理を行うため
にデータを一時的に格納するＲＡＭ１２と、ストリーム分離部９から出力されたビデオデ
ータを入力して所定のデコード処理を行うビデオデコーダ１５と、このビデオデコーダ１
５でのデコード処理を行うためにデータを一時的に格納するＲＡＭ１４とを備えている。
【００２１】
また、この光ディスク再生装置は、システムコントローラ２２の指示に応じてビデオデ
コーダ１５から出力されたデータとサブピクチャデコーダ１３から出力されたデータとを
合成するビデオプロセッサ１７と、このビデオプロセッサ１７から出力された合成データ
を表示用のビデオ信号に変換して画像をディスプレイ装置２０に表示させるビデオエンコ
ーダ１８と、オーディオデコーダ１１から出力されたデータをアナログのオーディオ信号
に変換して例えばスピーカ１９に供給するＤ／Ａ変換器１６とを備えている。
【００２２】
また、この光ディスク再生装置は、システムコントローラ２２に対して、再生指示を与
えるための再生キーや、再生停止を指示するための停止キーなどの各種操作キーを有する
操作部２１と、装置全体を制御する前記システムコントローラ２２とを備えている。なお
、操作部２１は、リモートコントローラであっても良いし、装置本体の操作パネルに設け
られた操作部であっても良い。
【００２３】
また、この光ディスク再生装置は、装置の各構成要素を制御したり、装置全体を制御し
たりするためのプログラムやデータが記憶されたフラッシュＲＯＭ２３と、このフラッシ
ュＲＯＭ２３のプログラムやデータに従って演算処理を行いシステムコントローラ２２を
制御するＣＰＵ２４とを備えている。
【００２４】
システムコントローラ２２は、本実施形態の特徴とする構成要素として、光ディスク１
がオーディオ・ビデオ両用ＤＶＤであった場合、オーディオ・ビデオ両用ＤＶＤにおける
ビデオ領域に記録されたタイトルのビデオ情報を再生するビデオ再生モードと、オーディ
オ領域に記録されたタイトルのオーディオ情報を再生するオーディオ再生モードと、前記
ビデオ領域に記録されたタイトルのビデオ情報および前記オーディオ領域に記録されたタ
イトルのオーディオ情報を再生する通常再生モードとを有し、これらの何れかの再生モー
ドを設定するモード設定手段２２１と、該モード設定手段２２１で設定された再生モード
は何であるかをディスク管理情報に基づいて判定するモード判定手段２２２と、該モード
判定手段２２２による判定結果がビデオ再生モードである場合に、当該タイトルはビデオ
情報のタイトルであるか否かを判定するビデオタイトル判定手段２２３とを備えている。
【００２５】
また、システムコントローラ２２は、モード判定手段２２２による判定結果がオーディ
オ再生モードである場合に、当該タイトルはオーディオ情報のタイトルであるか否かを判
定するオーディオタイトル判定手段２２４と、ビデオタイトル判定手段２２３の判定結果
がビデオ情報のタイトルを示す場合、またはオーディオタイトル判定手段２２４の判定結
果がオーディオ情報のタイトルを示す場合に、当該タイトルのビデオ情報またはオーディ
オ情報を再生する制御を行うタイトル再生制御手段２２５と、ビデオタイトル判定手段２
２３の判定結果がビデオ情報のタイトルを示さない場合、またはオーディオタイトル判定
手段２２４の判定結果がオーディオ情報のタイトルを示さない場合に、次のタイトルをサ
ーチし、ビデオタイトル判定手段２２３またはオーディオタイトル判定手段２２４に処理
を戻すタイトルサーチ手段２２６とを備えている。
【００２６】
図２はオーディオ・ビデオ両用ＤＶＤの記録フォーマットを示す図である。図２に示す
ように、リードインエリアとリードアウトエリアとの間には、オーディオ領域とビデオ領
域とが有る。リードインエリアの直ぐ外周には当該ＤＶＤに記録されるファイルのフォー
マットを管理する情報を有するＵＤＦ（Universal Disk Format）が記録され、それに続
いてオーディオ領域において、オーディオ情報の管理情報（ディスク管理情報）であるＡ
ＭＧ（Audio Manager）、オーディオ情報のタイトルを示すＡＴＳＩ（Audio Title Set I
nformation）、オーディオ情報の実態部分であるＡＯＢ（Audio Object）が記録され、更
に続いてＡＴＳＩ、ＡＯＢ、ＡＯＢ、ＡＴＳＩが記録される。次のビデオ領域においては
、ビデオ情報の管理情報（ディスク管理情報）であるＶＭＧ（Video Manager）、ビデオ
情報のタイトルを示すＶＴＳＩ（Video Title Set Information）、ビデオ情報の実態部
分であるＶＯＢ（Video Object）、ＶＯＢ、ＶＯＢが記憶される。
【００２７】
したがって、オーディオ領域のオーディオ情報はＤＶＤオーディオ規格に従った再生フ
ォーマットで再生され、ビデオ領域のビデオ情報はＤＶＤビデオ規格に従った再生フォー
マットで再生される。そして、ＤＶＤオーディオ規格の記録フォーマットで記録されたタ
イトルをＡＯＴＴ（Audio Only Title）と言い、ＤＶＤビデオ規格の記録フォーマットで
記録されたタイトルをＡＶＴＴ（Audio Video Title）と言う。
【００２８】
図３はオーディオ・ビデオ両用ＤＶＤに記録されたタイトルの部分のみを説明するため
の図である。図３において、タイトルＴ１はＡＯＴＴ、タイトルＴ２はＡＶＴＴ、タイト
ルＴ３はＡＯＴＴ、タイトルＴ４はＡＶＴＴであることを示す。ビデオ領域に記録された
タイトルのビデオ情報を再生するビデオ再生モードにおいては、ＡＶＴＴのタイトルＴ２
、ＡＶＴＴのタイトルＴ４というの順で再生される。また、オーディオ領域に記録された
タイトルのオーディオ情報を再生するオーディオ再生モードにおいては、ＡＯＴＴのタイ
トルＴ１、ＡＯＴＴのタイトルＴ３という順で再生される。また、ビデオ領域に記録され
たタイトルのビデオ情報およびオーディオ領域に記録されたタイトルのオーディオ情報を
再生する通常再生モードのおいては、ＡＯＴＴのタイトルＴ１、ＡＶＴＴのタイトルＴ２
、ＡＯＴＴのタイトルＴ３、ＡＶＴＴのタイトルＴ４という順で再生される。
【００２９】
図４は本実施形態においてオーディオ・ビデオ両用ＤＶＤに対する再生モードに応じた
処理を説明するためのフローチャートである。このフローチャートを参照して再生モード
に応じた処理について説明する。
【００３０】
先ず、ユーザが再生モードを設定するため、操作部２１を操作すると、これに応答して
、システムコントローラ２２のモード設定手段２２１は装置の再生モードを設定する（ス
テップＳ１）。そして、その設定された再生モードが、ビデオ領域に記録されたタイトル
のビデオ情報を再生するビデオ再生モードであるか、オーディオ領域に記録されたタイト
ルのオーディオ情報を再生するオーディオ再生モードであるか、それともビデオ領域に記
録されたタイトルのビデオ情報およびオーディオ領域に記録されたタイトルのオーディオ
情報を再生する通常再生モードであるかを、モード判定手段２２２が判定する（ステップ
Ｓ２）。
【００３１】
モード判定手段２２２による判定結果がビデオ再生モードであった場合、再生しようと
する当該タイトルはＡＶＴＴであるか否かを、ビデオタイトル判定手段２２３が判定する
（ステップＳ３）。この判定結果が、当該タイトルはＡＶＴＴであった場合、タイトル再
生制御手段２２５は当該タイトルを再生させるが（ステップＳ８）、当該タイトルはＡＶ
ＴＴでなかった場合（例えば図３に示すようにタイトルＴ１がＡＯＴＴであった場合）、
当該タイトルは再生しないようにする（ステップＳ５）。
【００３２】
そして、最後のタイトルまでサーチしていなかった場合（ステップＳ６）、タイトルサ
ーチ手段２２６は、次のタイトル（例えば図３に示すようなタイトルＴ２）をサーチし（
ステップＳ７）、ステップＳ２の処理に戻る。前記サーチした結果、例えばタイトルＴ２
がＡＶＴＴであると（ステップＳ３）、タイトルＴ２のビデオ情報を再生する（ステップ
Ｓ８）。
【００３３】
モード判定手段２２２による判定結果がオーディオ再生モードであった場合（ステップ
Ｓ２）、再生しようとする当該タイトルはＡＯＴＴであるか否かを、オーディオタイトル
判定手段２２４が判定する（ステップＳ４）。この判定結果が、当該タイトルはＡ０ＴＴ
であった場合、タイトル再生制御手段２２５は当該タイトルを再生させるが（ステップＳ
８）、当該タイトルはＡＯＴＴでなかった場合、当該タイトルは再生しないようにする（
ステップＳ５）。そして、最後のタイトルまでサーチしていなかった場合（ステップＳ６
）、タイトルサーチ手段２２６は、次のタイトルをサーチし（ステップＳ７）、ステップ
Ｓ２の処理に戻る。
【００３４】
モード判定手段２２２による判定結果が通常再生モードであった場合は（ステップＳ２
）、タイトル再生制御手段２２５は当該タイトルを再生させる。例えば、図３に示すよう
に、タイトルＴ１、タイトルＴ２、タイトルＴ３、タイトルＴ４という順で再生させてい
く。ただし、ユーザがタイトルを選んだ場合は、そのタイトルが再生されることになる。
【００３５】
以上説明したように本実施形態によれば、ビデオ再生モードにおいてはＡＶＴＴのタイ
トルのビデオ情報が再生され、オーディオ再生モードにおいてはＡＯＴＴのタイトルのオ
ーディオ情報が再生されるので、光ディスク再生装置の開発者はデバッグ処理や品質チェ
ックなどが行い易くなり、それらの所要時間も少なくなり、その分、装置のコストダウン
も図れる。また、従来の光ディスク再生装置では、ユーザはタイトルを選択することはで
きるが、そのタイトルはＡＯＴＴであるかＡＶＴＴであるかは再生してからでないと分か
らなかったが、本実施形態では、ＡＯＴＴのタイトルとＡＶＴＴのタイトルとを別々に選
択することも可能になるので、タイトルの選択範囲が広まり、ユーザに多目的な機能を提
供することができる。
【図面の簡単な説明】
【００３６】
【図１】本発明の一実施形態に係る光ディスク再生装置の構成を示すブロック図である。
【図２】オーディオ・ビデオ両用ＤＶＤの記録フォーマットを示す図である。
【図３】図３はオーディオ・ビデオ両用ＤＶＤに記録されたタイトルの部分のみを説明するための図である。
【図４】前記実施形態においてオーディオ・ビデオ両用ＤＶＤに対する再生モードに応じた処理を説明するためのフローチャートである。
【符号の説明】
【００３７】
２２    システムコントローラ
２２１    モード設定手段
２２３    ビデオタイトル判定手段
２２４    オーディオタイトル判定手段
２２５    タイトル再生制御手段
２２６    タイトルサーチ手段
【図１】
2005116114.tif 000003
【図２】
2005116114.tif 000004
【図３】
2005116114.tif 000005
【図４】
2005116114.tif 000006